(57)【要約】【課題】少ない流量で光学素子の表面全体を効率的に冷却できるプロジェクターを提供する。【解決手段】プロジェクター１は、光学素子３５の表面に沿って冷却流体を流通させる冷却装置４を備える。冷却装置４は、光学素子３５に入射する光束の光軸Ａｘに沿う方向から見て、光学素子３５を、光軸Ａｘが通る位置を含む中心側領域ＡｒＯと中心側領域ＡｒＯを除く外周側領域ＡｒＥとに仮想的に分割した場合に、中心側領域ＡｒＯに向けて冷却流体を吐出する２つの第１吐出部ＰＬ２，ＰＬ３と、外周側領域ＡｒＥに沿って冷却流体を吐出する第２吐出部ＰＬ１，ＰＬ４とを備える。【選択図】図７
2013097230.tif 000002
【特許請求の範囲】
【請求項１】
光学素子の表面に沿って冷却流体を流通させる冷却装置を備えたプロジェクターであって、
前記冷却装置は、
前記光学素子に入射する光束の光軸に沿う方向から見て、前記光学素子を、前記光軸が通る位置を含む中心側領域と前記中心側領域を除く外周側領域とに仮想的に分割した場合に、
前記中心側領域に向けて前記冷却流体を吐出する少なくとも２つの第１吐出部と、
前記外周側領域に沿って前記冷却流体を吐出する第２吐出部とを備える
ことを特徴とするプロジェクター。
【請求項２】
請求項１に記載のプロジェクターにおいて、
前記第１吐出部は、
前記光軸に沿う方向から見て、前記光軸を通る第１仮想線上に２つ設けられ、前記第１仮想線に沿って互いに逆方向に前記冷却流体を吐出し、
前記第２吐出部は、２つ設けられ、前記光軸に沿う方向から見て、前記第１仮想線を基準として仮想的に分割した２つの領域にそれぞれ設けられている
ことを特徴とするプロジェクター。
【請求項３】
請求項２に記載のプロジェクターにおいて、
２つの前記第２吐出部は、
前記第１仮想線に対して平行に前記冷却流体を吐出するとともに、互いに逆方向に前記冷却流体を吐出する
ことを特徴とするプロジェクター。
【請求項４】
請求項３に記載のプロジェクターにおいて、
前記光学素子は、
互いに対向する第１面及び第２面を有し、
前記冷却装置は、
２つの前記第１吐出部及び２つの前記第２吐出部を有し、前記光学素子の前記第１面に沿って前記冷却流体を流通させる第１面吐出手段と、
２つの前記第１吐出部及び２つの前記第２吐出部を有し、前記光学素子の前記第２面に沿って前記冷却流体を流通させる第２面吐出手段とを備え、
前記第２面吐出手段の前記第２吐出部は、
前記光軸に沿う方向から見て、前記第１面吐出手段の前記第２吐出部に対して、前記光軸を通り前記第１仮想線に直交する第２仮想線を基準として対称となる位置に設けられている
ことを特徴とするプロジェクター。
【請求項５】
請求項１から請求項４のいずれかに記載のプロジェクターにおいて、
前記第１吐出部から吐出された前記冷却流体の流速は、
前記第２吐出部から吐出された前記冷却流体の流速よりも大きくなるように設定されている
ことを特徴とするプロジェクター。
【請求項６】
請求項１から請求項５のいずれかに記載のプロジェクターにおいて、
前記冷却装置は、
前記光学素子に接続し、前記光学素子の表面との間で前記第１吐出部及び前記第２吐出部から吐出された冷却流体が導入される空間を形成する接続部材を備え、
前記接続部材には、
前記空間に導入された冷却流体を前記空間外部に導出するための導出用流路が形成されている
ことを特徴とするプロジェクター。
【請求項７】
請求項６に記載のプロジェクターにおいて、
前記第１吐出部及び前記第２吐出部は、
前記接続部材に形成され、前記空間外部から前記空間に前記冷却流体を導入するための導入用流路でそれぞれ構成され、
前記導出用流路の流路断面積は、
前記第２吐出部の流路断面積よりも大きくなるように設定されている
ことを特徴とするプロジェクター。
【請求項８】
請求項６または請求項７に記載のプロジェクターにおいて、
前記第１吐出部及び前記第２吐出部は、
前記接続部材に形成され、前記空間外部から前記空間に前記冷却流体を導入するための導入用流路でそれぞれ構成され、
前記光学素子は、
互いに対向する第１面及び第２面を有し、
前記接続部材は、
前記導入用流路及び前記導出用流路を有し、前記光学素子の前記第１面との間で前記冷却流体が導入される第１空間を形成する第１面接続部材と、
前記導入用流路及び前記導出用流路を有し、前記光学素子の前記第２面との間で前記冷却流体が導入される第２空間を形成する第２面接続部材と、
前記第１面接続部材の前記導出用流路を介して導出された冷却流体を前記第２面接続部材の前記導入用流路に導くダクト部材とを備える
ことを特徴とするプロジェクター。
【発明の詳細な説明】
【技術分野】
【０００１】
本発明は、プロジェクターに関する。
【背景技術】
【０００２】
従来、プロジェクターにおいて、液晶パネルや偏光板等の光学素子の表面に沿って空気を流通させ、当該光学素子を冷却する冷却装置が知られている（例えば、特許文献１参照）。
特許文献１に記載の冷却装置は、光学素子の表面上で第１の方向に沿って空気を流す第１の空冷部と、光学素子の表面上で第１の方向に交差する第２の方向に沿って空気を流す第２の空冷部とを備える。
そして、第１の方向に沿って流れる空気と第２の方向に沿って流れる空気とを衝突させ、当該衝突によって、光学素子の表面に沿って乱流の状態で空気を流通させている。
すなわち、乱流による冷却を利用することで、光学素子の表面に存在する速度境界層（空気の流速の変化が激しい薄い層の領域（表面で流速がゼロ））を薄くして、流通する空気と光学素子との間で熱交換を良好に行わせている。
【先行技術文献】
【特許文献】
【０００３】
【特許文献１】特開２００９−９２８４２号公報
【発明の概要】
【発明が解決しようとする課題】
【０００４】
しかしながら、特許文献１に記載の冷却装置では、空気の衝突によって生じる乱流を利用して光学素子を冷却しているため、光学素子の表面全体の広範囲を冷却するためには、空気を高速で、かつ光学素子の表面全体の広範囲に流通させる必要がある。すなわち、多くの流量が必要となる、という問題がある。
【０００５】
本発明の目的は、少ない流量で光学素子の表面全体を効率的に冷却できるプロジェクターを提供することにある。
【課題を解決するための手段】
【０００６】
本発明のプロジェクターは、光学素子の表面に沿って冷却流体を流通させる冷却装置を備えたプロジェクターであって、前記冷却装置は、前記光学素子に入射する光束の光軸に沿う方向から見て、前記光学素子を、前記光軸が通る位置を含む中心側領域と前記中心側領域を除く外周側領域とに仮想的に分割した場合に、前記中心側領域に向けて前記冷却流体を吐出する少なくとも２つの第１吐出部と、前記外周側領域に沿って前記冷却流体を吐出する第２吐出部とを備えることを特徴とする。
【０００７】
ところで、プロジェクターでは、光学素子に光束を照射する場合、光学素子の表面全体を均一に照射することができず、光学素子の表面に照度分布が生じるものである。すなわち、光学素子の表面には、高い照度の領域の温度が高く、低い照度の領域の温度が低くなり、照度分布に応じて温度分布が生じることとなる。
そして、光学素子の表面における照度分布としては、通常、光束の中心である光軸が通る位置の照度が高く、光軸から離れるにしたがって照度が低くなるものである。すなわち、光学素子の表面における温度分布も照度分布に対応し、光軸が通る位置の温度が高く、光軸から離れるにしたがって温度が低くなるものである。
【０００８】
本発明では、冷却装置は、光軸が通る位置を含む中心側領域に向けて冷却流体を吐出する少なくとも２つの第１吐出部を備える。
このことにより、少なくとも２つの第１吐出部からの冷却流体を衝突させ、当該衝突により生じる乱流を利用して、中心側領域を冷却できる。すなわち、冷却効率の高い乱流を利用することで、外周側領域に対して温度の高い中心側領域を効果的に冷却できる。
また、中心側領域の冷却のみに乱流を利用するので、光学素子の表面全体の冷却に乱流を利用する場合と比較して、流量を少なくすることができる。
【０００９】
また、冷却装置は、外周側領域に沿って冷却流体を吐出する第２吐出部を備える。
このことにより、第２吐出部からの冷却流体を外周側領域に沿って層流（乱れを含まない流れ）の状態で流通させ、当該外周側領域を冷却できる。
すなわち、外周側領域は中心側領域に比較して温度が低いため、乱流を利用する場合と比較して冷却効率の低い層流を利用しても、十分に外周側領域を冷却できる。
また、層流を利用した冷却では、乱流を利用した冷却に比較して、冷却流体の流速を小さく、かつ流量を少なくすることができる。
以上のように、中心側領域の冷却に乱流を利用し、外周側領域の冷却に層流を利用することで、少ない流量で光学素子の表面全体を効率的に冷却できる。
【００１０】
本発明のプロジェクターでは、前記第１吐出部は、前記光軸に沿う方向から見て、前記光軸を通る第１仮想線上に２つ設けられ、前記第１仮想線に沿って互いに逆方向に前記冷却流体を吐出し、前記第２吐出部は、２つ設けられ、前記光軸に沿う方向から見て、前記第１仮想線を基準として仮想的に分割した２つの領域にそれぞれ設けられていることが好ましい。
【００１１】
本発明では、第１吐出部は、上述した第１仮想線上に２つ設けられ、第１仮想線に沿って互いに逆方向に冷却流体を吐出する。
このことにより、例えば、２つの第１吐出部からの吐出方向が交差（例えば、４５°や９０°で交差）するように各第１吐出部を設けた構成と比較して、２つの第１吐出部からの冷却流体を光学素子の表面における光軸が通る位置（光軸上）で衝突させる構成を容易に実現できる。
【００１２】
ところで、第２吐出部が上述した２つの領域のうち一方の領域のみに設けられた場合には、第２吐出部からの冷却流体に影響され、２つの第１吐出部からの冷却流体の衝突位置が光軸上からずれてしまう恐れがある。
本発明では、第２吐出部は、２つ設けられている。そして、２つの第２吐出部は、上述した２つの領域にそれぞれ設けられている。
すなわち、各第１吐出部が設けられる第１仮想線を挟んだ両側に第２吐出部をそれぞれ設けることで、各第２吐出部からの冷却流体が各第１吐出部からの冷却流体に与える影響を相殺できる。このため、２つの第１吐出部からの冷却流体の衝突位置が光軸上からずれてしまうことを防止できる。
【００１３】
本発明のプロジェクターでは、２つの前記第２吐出部は、前記第１仮想線に対して平行に前記冷却流体を吐出するとともに、互いに逆方向に前記冷却流体を吐出することが好ましい。
本発明では、２つの第２吐出部が第１仮想線に対して平行に冷却流体を吐出するので、各第２吐出部からの冷却流体が各第１吐出部からの冷却流体に与える影響を低減できる。
また、２つの第２吐出部は、互いに逆方向に冷却流体を吐出する。
このことにより、上述した２つの領域のうち一方の領域に設けられた第２吐出部からの冷却流体が各第１吐出部からの冷却流体に与える影響と、他方の領域に設けられた第２吐出部からの冷却流体が各第１吐出部からの冷却流体に与える影響とのバランスを取ることができる。このため、各第２吐出部からの冷却流体が各第１吐出部からの冷却流体に与える影響を良好に相殺できる。
【００１４】
本発明のプロジェクターでは、前記光学素子は、互いに対向する第１面及び第２面を有し、前記冷却装置は、２つの前記第１吐出部及び２つの前記第２吐出部を有し、前記光学素子の前記第１面に沿って前記冷却流体を流通させる第１面吐出手段と、２つの前記第１吐出部及び２つの前記第２吐出部を有し、前記光学素子の前記第２面に沿って前記冷却流体を流通させる第２面吐出手段とを備え、前記第２面吐出手段の前記第２吐出部は、前記光軸に沿う方向から見て、前記第１面吐出手段の前記第２吐出部に対して、前記光軸を通り前記第１仮想線に直交する第２仮想線を基準として対称となる位置に設けられていることが好ましい。
【００１５】
本発明では、冷却装置は、光学素子の表面を構成する第１面（例えば、光出射面）に沿って冷却流体を流通させる上述した第１面吐出手段と、光学素子の表面を構成する第２面（例えば、光入射面）に沿って冷却流体を流通させる上述した第２面吐出手段を備える。
このことにより、光学素子の第１，第２面の双方を冷却でき、光学素子を効果的に冷却できる。
【００１６】
ところで、光学素子の表面上を層流の状態で冷却流体を流通させた場合には、下流側に向うにしたがって冷却流体の流速は小さくなるものである。すなわち、第２吐出部からの冷却流体にて光学素子を冷却する場合、第２吐出部から離間するにしたがって冷却効率が低くなる。
本発明では、第２面吐出手段の第２吐出部は、光軸に沿う方向から見て、第１面吐出手段の第２吐出部に対して、上述した第２仮想線を基準として対称となる位置に設けられている。言い換えれば、第２面吐出手段の第２吐出部は、光軸に沿う方向から見て、第１面吐出手段の第２吐出部に対向する位置に設けられている。
すなわち、光学素子の第１面では、第１面吐出手段の第２吐出部から離間する側は、当該第２吐出部に近接する側に対して、冷却効率が低いものとなっている。しかしながら、光学素子の第２面において、第１面での冷却効率が低い領域に対向する領域は、第２面吐出手段の第２吐出部に近接する側に相当するため、当該第２吐出部から離間する側に対して、冷却効率が高いものとなっている。
このため、光軸に沿う方向から見て、光学素子の第１面で冷却効率が低い領域については第２面で冷却効率が高い領域とし、逆に、第２面で冷却効率が低い領域については第１面で冷却効率が高い領域とすることができ、光学素子の全体を効率的に冷却できる。
【００１７】
本発明のプロジェクターでは、前記第１吐出部から吐出された前記冷却流体の流速は、前記第２吐出部から吐出された前記冷却流体の流速よりも大きくなるように設定されていることが好ましい。
ところで、第２吐出部からの冷却流体の流速が第１吐出部からの冷却流体の流速よりも大きい場合には、第１吐出部からの冷却流体が第２吐出部からの冷却流体に引き寄せられ、各第１吐出部からの冷却流体の衝突位置が所望の位置（例えば、光学素子の表面における光軸が通る位置）からずれてしまう恐れがある。
本発明では、第１吐出部からの冷却流体の流速は、第２吐出部からの冷却流体の流速よりも大きくなるように設定されている。
このことにより、第１吐出部からの冷却流体が第２吐出部からの冷却流体に引き寄せられることを防止でき、各第１吐出部からの冷却流体の衝突位置が所望の位置からずれてしまうことを防止できる。
【００１８】
本発明のプロジェクターでは、前記冷却装置は、前記光学素子に接続し、前記光学素子の表面との間で前記第１吐出部及び前記第２吐出部から吐出された冷却流体が導入される空間を形成する接続部材を備え、前記接続部材には、前記空間に導入された冷却流体を前記空間外部に導出するための導出用流路が形成されていることが好ましい。
本発明では、冷却装置が上述した接続部材を備えるので、第１，第２吐出部から吐出され上述した空間に導入された冷却流体の全てを光学素子の表面全体に亘って流通させることができる。すなわち、第１，第２吐出部からの冷却流体を無駄なく、冷却に寄与させることができ、光学素子を効果的に冷却できる。
【００１９】
本発明のプロジェクターでは、前記第１吐出部及び前記第２吐出部は、前記接続部材に形成され、前記空間外部から前記空間に前記冷却流体を導入するための導入用流路でそれぞれ構成され、前記導出用流路の流路断面積は、前記第２吐出部の流路断面積よりも大きくなるように設定されていることが好ましい。
【００２０】
本発明では、上述した導出用流路の流路断面積は、接続部材に形成された上述した導入用流路で構成される第２吐出部の流路断面積よりも大きくなるように設定されている。
このことにより、第２吐出部から空間に導入された冷却流体、及び各第１吐出部から空間に導入され衝突した後の冷却流体を、導出用流路を介して空間外部に良好に導出することができる。このため、冷却流体が空間に滞留することがなく、空間に導入された冷却流体を光学素子の表面に沿って流通させた後、空間外部に円滑に導出することができ、光学素子の冷却効率をより一層高めることができる。
【００２１】
本発明のプロジェクターでは、前記第１吐出部及び前記第２吐出部は、前記接続部材に形成され、前記空間外部から前記空間に前記冷却流体を導入するための導入用流路でそれぞれ構成され、前記光学素子は、互いに対向する第１面及び第２面を有し、前記接続部材は、前記導入用流路及び前記導出用流路を有し、前記光学素子の前記第１面との間で前記冷却流体が導入される第１空間を形成する第１面接続部材と、前記導入用流路及び前記導出用流路を有し、前記光学素子の前記第２面との間で前記冷却流体が導入される第２空間を形成する第２面接続部材と、前記第１面接続部材の前記導出用流路を介して導出された冷却流体を前記第２面接続部材の前記導入用流路に導くダクト部材とを備えることが好ましい。
【００２２】
本発明では、冷却装置は、光学素子の表面を構成する第１面（例えば、光出射面）に沿って冷却流体を流通させる上述した第１面接続部材と、光学素子の表面を構成する第２面（例えば、光入射面）に沿って冷却流体を流通させる上述した第２面接続部材とを備える。
このことにより、光学素子の第１，第２面の双方を冷却でき、光学素子を効果的に冷却できる。
また、冷却装置が上述したダクト部材を備えるので、第１空間に導入され光学素子の第１面を冷却した後の冷却流体を、ダクト部材を介して、第２空間に導入して光学素子の第２面の冷却に寄与させることができる。
すなわち、光学素子の第１，第２面を冷却する冷却流体の一部を共通化することができ、光学素子を効率的に冷却できる。
【図面の簡単な説明】
【００２３】
【図１】第１実施形態におけるプロジェクターの概略構成を示す図。
【図２】第１実施形態における冷却装置の構成を模式的に示す図。
【図３】第１実施形態における接続部材の構造を示す模式図。
【図４】第１実施形態における接続部材の構造を示す模式図。
【図５】第１実施形態における接続部材の構造を示す模式図。
【図６】第１実施形態における接続部材の構造を示す模式図。
【図７】第１実施形態における冷却装置による空気の流路を説明するための模式図。
【図８】第２実施形態における接続部材の構造を示す模式図。
【図９】第２実施形態における接続部材の構造を示す模式図。
【図１０】第２実施形態における接続部材の構造を示す模式図。
【図１１】第２実施形態における冷却装置による空気の流路を説明するための模式図。
【発明を実施するための形態】
【００２４】
[第１実施形態]
以下、本発明の第１実施形態を図面に基づいて説明する。
〔プロジェクターの構成〕
図１は、プロジェクター１の概略構成を示す図である。
プロジェクター１は、画像を投射してスクリーン（図示略）上に投影画像を表示する。
そして、このプロジェクター１は、図１に示すように、外装筐体２内部に収納される光学ユニット３及び冷却装置４（図２参照）を備える。
【００２５】
〔光学ユニットの構成〕
光学ユニット３は、図１に示すように、発光管３１１及びリフレクター３１２を有する光源装置３１と、レンズアレイ３２１，３２２、偏光変換素子３２３、及び重畳レンズ３２４を有する照明光学装置３２と、ダイクロイックミラー３３１，３３２、及び反射ミラー３３３を有する色分離光学装置３３と、入射側レンズ３４１、リレーレンズ３４３、及び反射ミラー３４２，３４４を有するリレー光学装置３４と、光学素子としての３つの入射側偏光板３５と、光学素子としての３つの光変調装置３６と、３つの出射側偏光板３７と、色合成光学装置としてのクロスダイクロイックプリズム３８と、投射光学装置としての投射レンズ３９とを備える。
そして、光学ユニット３では、上述した構成により、光源装置３１から出射され照明光学装置３２を介した光束は、色分離光学装置３３にて赤（Ｒ）、緑（Ｇ）、青（Ｂ）の３つの色光に分離される。また、分離された各色光は、各光変調装置３６にてそれぞれ変調される。変調された各色光は、プリズム３８にて合成されて画像となり、投射レンズ３９にてスクリーンに投射される。
【００２６】
〔冷却装置の構成〕
図２は、冷却装置４の構成を模式的に示す図である。
冷却装置４は、冷却流体を入射側偏光板３５及び光変調装置３６の表面に沿って流通させ、これら各部材３５，３６を冷却する。
本実施形態では、冷却流体として、空気を利用している。
そして、冷却装置４は、図２に示すように、３つの接続部材５と、３つの冷却ファン６とを備える。
なお、図２では、説明の便宜上、３つの接続部材５のうち、Ｒ色光側に配設される接続部材をＲ側接続部材５Ｒ、Ｇ色光側に配設される接続部材をＧ側接続部材５Ｇ、Ｂ色光側に配設される接続部材をＢ側接続部材５Ｂと記載する。冷却ファン６も同様である。
【００２７】
〔接続部材の構成〕
図３ないし図６は、接続部材５の構造を示す図である。具体的に、図３は入射側偏光板３５、光変調装置３６、及び接続部材５が一体化したユニットを光入射側から見た斜視図であり、図４は当該ユニットを光出射側から見た斜視図である。図５は、接続部材５を光軸Ａｘに直交する平面にて切断した断面を光出射側から見た断面図である。図６は、光軸Ａｘ及び後述する各中央導入路ＰＬ２，ＰＬ３を通る鉛直面にて上記ユニットを切断した断面図である。
なお、各接続部材５は、同様の構成であり、以下では１つの接続部材５のみを説明する。
接続部材５は、入射側偏光板３５及び光変調装置３６の間に配設され、入射側偏光板３５及び光変調装置３６に接続する。そして、接続部材５は、入射側偏光板３５及び光変調装置３６とで空気が導入及び導出される空間Ａｒ（図５、図６）を形成する。
【００２８】
具体的に、接続部材５は、図３ないし図６に示すように、接続部材本体５１と、上側流路形成部５２とが一体形成され、光軸Ａｘに沿う方向から見て略Ｌ字形状を有する。
接続部材本体５１は、光軸Ａｘを通る水平面で切断した横断面が略矩形枠形状を有し、鉛直方向に沿って延びる筒体で構成されている。
この接続部材本体５１において、光入射面及び光出射面には、図３、図５または図６に示すように、矩形状の第１，第２開口部５１１，５１２が形成されている。
本実施形態では、第１，第２開口部５１１，５１２は、同一形状を有するように形成されている。
【００２９】
ここで、入射側偏光板３５は、図６に示すように、板体状に形成されたものであり、光出射面（表面）が接続部材本体５１内部（空間Ａｒ）に面するように、第１開口部５１１に嵌合される。
また、光変調装置３６は、図６に示すように、透過型の液晶パネル３６１と、矩形枠形状を有し、液晶パネル３６１が収納される保持枠３６２とを備える。そして、保持枠３６２は、液晶パネル３６１の光入射面（表面）が接続部材本体５１内部（空間Ａｒ）に面し、第２開口部５１２を閉塞するように接続部材本体５１外面（光出射面）に取り付けられる。
上述したように各部材３５，３６が接続部材本体５１に接続することで、第１，第２開口部５１１，５１２が閉塞され、接続部材本体５１内部に空間Ａｒ（図５、図６）が形成される。
【００３０】
また、接続部材本体５１内部において、下側には、図３ないし図５に示すように、当該下側の空間を３つの空間に区画する第１，第２区画部５１３，５１４が水平方向（図５中、左右方向）に並設されている。
第１，第２区画部５１３，５１４は、同一形状を有し、板状に形成されている。
具体的に、第１，第２区画部５１３，５１４は、光軸Ａｘに沿う方向から見て、接続部材本体５１の下端縁から、鉛直方向に沿って、第１，第２開口部５１１，５１２の下端縁まで延びるように形成されている。
【００３１】
そして、第１，第２区画部５１３，５１４によって区画された３つの空間のうち、図５中、右側の空間は、鉛直方向に沿って延び、空気を空間Ａｒに導入し、各部材３５，３６の表面に沿って流通させるための導入用流路としての右側外周導入路ＰＬ１として機能する。
また、図５中、中央の空間も同様に、鉛直方向に沿って延び、空気を空間Ａｒに導入し、各部材３５，３６の表面に沿って流通させるための導入用流路としての下側中央導入路ＰＬ２として機能する。
さらに、図５中、左側の空間は、鉛直方向に沿って延び、空間Ａｒの空気を空間Ａｒ外部に導出するための導出用流路としての左側導出路ＰＥ１として機能する。
【００３２】
上側流路形成部５２は、内部が中空とされた直方体形状を有し、内部が接続部材本体５１内部に連通するように接続部材本体５１に一体形成される。
具体的に、上側流路形成部５２は、図３、図４または図６に示すように、光軸Ａｘに沿う方向の長さ寸法が接続部材本体５１と同一に設定されている。また、上側流路形成部５２は、図３ないし図５に示すように、水平方向の長さ寸法が接続部材本体５１よりも長くなるように設定され、当該水平方向の一方の端部が接続部材本体５１に対して張り出した状態で一体化されている。
【００３３】
そして、上側流路形成部５２において、当該張出部分５２１の下端面には、図３ないし図５に示すように、当該上側流路形成部５２内外を連通する第１連通口５２２が形成されている。
また、上側流路形成部５２において、張出部分５２１と反対側の端面には、図５に示すように、当該上側流路形成部５２内外を連通する第２連通口５２３が形成されている。
そして、接続部材５内部において、上側（接続部材本体５１内部の上側、及び上側流路形成部５２内部）には、図５に示すように、当該上側の空間を３つの空間に区画する第３，第４区画部５１５，５１６が水平方向に並設されている。
【００３４】
第３，第４区画部５１５，５１６は、板状に形成されている。
具体的に、第３区画部５１５は、光軸Ａｘに沿う方向から見て、第１，第２開口部５１１，５１２の上端縁から、鉛直方向に沿って、上側流路形成部５２の上側の側壁まで延びるように形成されている。
また、第４区画部５１６は、光軸Ａｘに沿う方向から見て、第１，第２開口部５１１，５１２の上端縁から、鉛直方向に沿って上側に延びるとともに、略９０°折り曲げられて張出部分５２１に沿って延び、さらに、略９０°折り曲げられて第１連通口５２２の縁部分まで延びるように形成されている。
【００３５】
そして、第３，第４区画部５１５，５１６によって区画された３つの空間のうち、図５中、右側の空間は、鉛直方向に沿って延び、第２連通口５２３を介して空間Ａｒの空気を空間Ａｒ外部に導出するための導出用流路としての右側導出路ＰＥ２として機能する。
また、図５中、中央の空間は、第１連通口５２２を介して導入した空気を空間Ａｒに導入し、各部材３５，３６の表面に沿って流通させるための導入用流路としての上側中央導入路ＰＬ３として機能する。
さらに、図５中、左側の空間も同様に、第１連通口５２２を介して導入した空気を空間Ａｒに導入し、各部材３５，３６の表面に沿って流通させるための導入用流路としての左側外周導入路ＰＬ４として機能する。
なお、本実施形態では、左側導出路ＰＥ１の流路断面積は、左側外周導入路ＰＬ４の流路断面積よりも大きくなるように設定されている。また、右側導出路ＰＥ２の流路断面積も同様に、右側外周導入路ＰＬ１の流路断面積よりも大きくなるように設定されている。
【００３６】
〔冷却ファンの構成〕
３つの冷却ファン６は、図２に示すように、各接続部材５に応じてそれぞれ設けられ、各接続部材５に接続された各部材３５，３６をそれぞれ冷却するために用いられる。
なお、各冷却ファン６は、同様の構成であり、かつ、各接続部材５に対して同様に接続されるものであり、以下では１つの冷却ファン６と１つの接続部材５との接続構造のみを説明する。
冷却ファン６と接続部材５とは、流路下流側が２つに分岐されたダクト（図示略）を介して接続される。
具体的に、前記ダクトにおいて、流路上流側の端部は、冷却ファン６の吐出口（図示略）に接続される。
一方、前記ダクトにおいて、流路下流側の２つの端部のうち、一方の端部は、接続部材本体５１における下側の開口部分のうち、右側外周導入路ＰＬ１及び下側中央導入路ＰＬ２にのみ接続する。また、他方の端部は、張出部分５２１の下端面（上側中央導入路ＰＬ３及び左側外周導入路ＰＬ４）に接続する。
【００３７】
〔空気の流路〕
図７は、冷却装置４による空気の流路を説明するための模式図である。具体的に、図７は、図５に対応した図である。
次に、上述した冷却装置４による空気の流路について説明する。
なお、図７では、説明の便宜上、空気の流れを矢印Ｆで示している。
また、図７では、入射側偏光板３５を、光軸Ａｘに沿う方向から見て、光軸Ａｘが通る位置を含む矩形状の中心側領域ＡｒＯと、中心側領域ＡｒＯを除くその他の外周側領域ＡｒＥとに仮想的に分割している。
さらに、Ｒ，Ｇ，Ｂ色光側において、冷却装置４による空気の流路は、同様の流路であるため、以下では、Ｒ色光側の流路のみを説明する。
Ｒ側冷却ファン６Ｒが駆動すると、Ｒ側冷却ファン６Ｒから吐出された空気は、前記ダクトにて２つに分岐され、各導入路ＰＬ１〜ＰＬ４にそれぞれ導入される。
【００３８】
そして、下側中央導入路ＰＬ２に導入された空気は、図７に示すように、当該流路ＰＬ２を辿って、下側から空間Ａｒに吐出される。
一方、上側中央導入路ＰＬ３に導入された空気は、図７に示すように、当該流路ＰＬ３を辿って、上側から空間Ａｒに吐出される。
ここで、各中央導入路ＰＬ２，ＰＬ３は、光軸Ａｘに沿う方向から見て、光軸Ａｘを通り鉛直方向に延びる第１仮想線ＶＰ１（図７）上にそれぞれ位置付けられている。
このため、各中央導入路ＰＬ２，ＰＬ３から吐出された空気は、第１仮想線ＶＰ１に沿って互いに逆方向から光軸Ａｘが通る位置に向うこととなる。
すなわち、各中央導入路ＰＬ２，ＰＬ３は、本発明に係る第１吐出部に相当するものである。
なお、本実施形態では、前記ダクトの構造、及び各中央導入路ＰＬ２，ＰＬ３の流路断面積を調整することで、各中央導入路ＰＬ２，ＰＬ３から吐出される空気は、同一の流速及び同一の流量に設定されている。
このため、各中央導入路ＰＬ２，ＰＬ３から吐出された空気は、光軸Ａｘに沿う方向から見て、光軸Ａｘ上にて衝突することとなる。
【００３９】
また、右側外周導入路ＰＬ１に導入された空気は、図７に示すように、当該流路ＰＬ１を辿って、下側から空間Ａｒに吐出される。
一方、左側外周導入路ＰＬ４に導入された空気は、図７に示すように、当該流路ＰＬ４を辿って、上側から空間Ａｒに吐出される。
ここで、各外周導入路ＰＬ１，ＰＬ４は、光軸Ａｘに沿う方向から見て、第１仮想線ＶＰ１を基準として線対称となり外周側領域ＡｒＥを通る右，左仮想線ＶＰＲ，ＶＰＬ上にそれぞれ位置付けられている。
すなわち、各外周導入路ＰＬ１，ＰＬ４は、光軸Ａｘに沿う方向から見て、第１仮想線ＶＰ１を基準として仮想的に分割した右，左領域ＡｒＲ，ＡｒＬ（図７）にそれぞれ設けられている。
そして、各外周導入路ＰＬ１，ＰＬ４から吐出された空気は、光軸Ａｘに沿う方向から見て、第１仮想線ＶＰ１に平行である互いに逆方向から空間Ａｒに導入され、外周側領域ＡｒＥに沿って流通することとなる。
すなわち、各外周導入路ＰＬ１，ＰＬ４は、本発明に係る第２吐出部に相当するものである。
【００４０】
なお、本実施形態では、前記ダクトの構造、及び各外周導入路ＰＬ１，ＰＬ４の流路断面積を調整することで、各外周導入路ＰＬ１，ＰＬ４から吐出される空気は、同一の流速及び同一の流量に設定されている。
また、各外周導入路ＰＬ１，ＰＬ４から吐出される空気は、各中央導入路ＰＬ２，ＰＬ３から吐出される空気に対して、流速が小さくなるように設定されている。
【００４１】
そして、各部材３５，３６は、各導入路ＰＬ１〜ＰＬ４から空間Ａｒに吐出され、各部材３５，３６の表面に沿って流通する空気により冷却されることとなる。
ここで、各導出路ＰＥ１，ＰＥ２は、各外周導入路ＰＬ４，ＰＬ１にそれぞれ対向し、左，右仮想線ＶＰＬ，ＶＰＲ上にそれぞれ位置付けられている。
このため、各部材３５，３６を冷却した後の空気のうち、右側外周導入路ＰＬ１から吐出された空気、及び各中央導入路ＰＬ２，ＰＬ３から吐出され衝突した後の空気の一部は、図７に示すように、右側導出路ＰＥ２を介して接続部材５外部に排出される。
一方、左側外周導入路ＰＬ４から吐出された空気、及び各中央導入路ＰＬ２，ＰＬ３から吐出され衝突した後の空気の一部は、図７に示すように、左側導出路ＰＥ１を介して接続部材５外部に排出される。
なお、上述したように、左側導出路ＰＥ１の流路断面積は、左側外周導入路ＰＬ４の流路断面積よりも大きくなるように設定されており、右側導出路ＰＥ２の流路断面積も同様に、右側外周導入路ＰＬ１の流路断面積よりも大きくなるように設定されている。
このことにより、各外周導入路ＰＬ１，ＰＬ４から空間Ａｒに導入された空気、及び各中央導入路ＰＬ２，ＰＬ３から空間Ａｒに導入され衝突した後の空気は、各導出路ＰＥ１，ＰＥ２へ流れる。そして、空間Ａｒ外部に良好に導出される。
【００４２】
上述した第１実施形態によれば、以下の効果がある。
本実施形態では、冷却装置４は、入射側偏光板３５の光出射面（表面）、及び光変調装置３６の光入射面（表面）に沿って空気を流通させる。そして、冷却装置４は、中心側領域ＡｒＯ（光軸Ａｘが通る位置）に向けて空気を吐出する２つの中央導入路ＰＬ２，ＰＬ３を備える。
このことにより、各中央導入路ＰＬ２，ＰＬ３からの空気を衝突させ、当該衝突により生じる乱流を利用して、各部材３５，３６の中心側領域ＡｒＯを冷却できる。
すなわち、冷却効率の高い乱流を利用するので、外周側領域ＡｒＥに対して温度の高い中心側領域ＡｒＯを効果的に冷却できる。
また、中心側領域ＡｒＯの冷却のみに乱流を利用するので、各部材３５，３６の表面全体の冷却に乱流を利用する場合と比較して、流量を少なくすることができる。
【００４３】
また、冷却装置４は、外周側領域ＡｒＥに沿って空気を吐出する各外周導入路ＰＬ１，ＰＬ４を備える。
このことにより、各外周導入路ＰＬ１，ＰＬ４からの空気を外周側領域ＡｒＥに沿って層流の状態で流通させ、外周側領域ＡｒＥを冷却できる。
すなわち、外周側領域ＡｒＥは中心側領域ＡｒＯに比較して温度が低いため、乱流を利用する場合と比較して冷却効率の低い層流を利用しても、十分に外周側領域ＡｒＥを冷却できる。
また、層流を利用した冷却では、乱流を利用した冷却に比較して、空気の流速を小さく、かつ流量を少なくすることができる。
以上のように、中心側領域ＡｒＯの冷却に乱流を利用し、外周側領域ＡｒＥの冷却に層流を利用することで、少ない流量で各部材３５，３６の表面全体を効率的に冷却できる。
【００４４】
また、少ない流量で各部材３５，３６の表面全体を効率的に冷却できるので、サイズの大きな冷却ファンを必要とせず、小型の冷却ファン６を用いることができる。したがって、プロジェクター１の小型化が図れるとともに、冷却ファン６の駆動時の騒音も低減でき、プロジェクター１の静粛性を十分に確保できる。
さらに、各導入路ＰＬ１〜ＰＬ４を形成する第１〜第４区画部５１３〜５１６は、第１，第２開口部５１１，５１２の縁部分まで形成されている。
このことにより、空間Ａｒに導入される直前まで、各中央導入路ＰＬ２，ＰＬ３と各外周導入路ＰＬ１，ＰＬ４とを区画できる。すなわち、空間Ａｒに導入される直前まで、各中央導入路ＰＬ２，ＰＬ３からの空気と各外周導入路ＰＬ１，ＰＬ４からの空気とが混ざり合うことを防止でき、中心側領域ＡｒＯと外周側領域ＡｒＥを効果的に冷却できる。
【００４５】
また、各中央導入路ＰＬ２，ＰＬ３は、第１仮想線ＶＰ１上に２つ設けられ、第１仮想線ＶＰ１に沿って互いに逆方向に空気を吐出する。
このことにより、例えば、各中央導入路ＰＬ２，ＰＬ３からの吐出方向が交差（例えば、４５°や９０°で交差）するように各中央導入路ＰＬ２，ＰＬ３を設けた構成と比較して、各中央導入路ＰＬ２，ＰＬ３からの空気を各部材３５，３６の表面における光軸Ａｘ上で衝突させる構成を容易に実現できる。
【００４６】
さらに、各外周導入路ＰＬ１，ＰＬ４は、右，左領域ＡｒＲ，ＡｒＬにそれぞれ設けられている。
すなわち、各中央導入路ＰＬ２，ＰＬ３が設けられる第１仮想線ＶＰ１を挟んだ両側に各外周導入路ＰＬ１，ＰＬ４をそれぞれ設けることで、各外周導入路ＰＬ１，ＰＬ４からの空気が各中央導入路ＰＬ２，ＰＬ３からの空気に与える影響を相殺できる。このため、各中央導入路ＰＬ２，ＰＬ３からの空気の衝突位置が光軸Ａｘ上からずれてしまうことを防止できる。
【００４７】
また、各外周導入路ＰＬ１，ＰＬ４が第１仮想線ＶＰ１に対して平行に空気を吐出するので、各外周導入路ＰＬ１，ＰＬ４からの空気が各中央導入路ＰＬ２，ＰＬ３からの空気に与える影響を低減できる。
さらに、各外周導入路ＰＬ１，ＰＬ４は、互いに逆方向に空気を吐出する。
このことにより、右領域ＡｒＲに設けられた右側外周導入路ＰＬ１からの空気が各中央導入路ＰＬ２，ＰＬ３に与える影響と、左領域ＡｒＬに設けられた左側外周導入路ＰＬ４からの空気が各中央導入路ＰＬ２，ＰＬ３に与える影響とのバランスを取ることができる。このため、各外周導入路ＰＬ１，ＰＬ４からの空気が各中央導入路ＰＬ２，ＰＬ３に与える影響を良好に相殺できる。
【００４８】
また、各中央導入路ＰＬ２，ＰＬ３からの空気の流速は、各外周導入路ＰＬ１，ＰＬ４からの空気の流速よりも大きくなるように設定されている。
このことにより、各中央導入路ＰＬ２，ＰＬ３からの空気が各外周導入路ＰＬ１，ＰＬ４からの空気に引き寄せられることを防止でき、各中央導入路ＰＬ２，ＰＬ３からの空気の衝突位置が光軸Ａｘ上からずれてしまうことを防止できる。
【００４９】
さらに、冷却装置４が接続部材５を備えるので、各導入路ＰＬ１〜ＰＬ４から吐出され空間Ａｒに導入された空気の全てを各部材３５，３６の表面全体に亘って、かつ各部材３５，３６の表面に沿って流通させることができる。すなわち、各導入路ＰＬ１〜ＰＬ４からの空気を無駄なく、冷却に寄与させることができ、各部材３５，３６を効果的に冷却できる。
【００５０】
また、左側導出路ＰＥ１の流路断面積は、左側外周導入路ＰＬ４の流路断面積よりも大きくなるように設定されている。右側導出路ＰＥ２の流路断面積と右側外周導入路ＰＬ１の流路断面積との関係も同様である。
このことにより、各外周導入路ＰＬ１，ＰＬ４から空間Ａｒに導入された空気、及び各中央導入路ＰＬ２，ＰＬ３から空間Ａｒに導入され衝突した後の空気を、各導出路ＰＥ１，ＰＥ２を介して空間Ａｒ外部に良好に導出することができる。このため、空気が空間Ａｒに滞留することがなく、空間Ａｒに導入された空気を各部材３５，３６の表面に沿って流通させた後、空間Ａｒ外部に円滑に導出することができ、各部材３５，３６の冷却効率をより一層高めることができる。
【００５１】
[第２実施形態]
次に、本発明の第２実施形態を図面に基づいて説明する。
以下の説明では、前記第１実施形態と同様の構成及び同一部材には同一の符号を付して、その詳細な説明は省略または簡略化する。
前記第１実施形態では、冷却装置４は、入射側偏光板３５の光出射面及び光入射面のうち、光出射面のみに沿って空気を流通させていた。
これに対して第２実施形態では、冷却装置４は、入射側偏光板３５の光出射面（第１面）に沿って空気を流通させるとともに、光入射面（第２面）に沿って空気を流通させる。
【００５２】
図８ないし図１０は、第２実施形態における接続部材５の構造を示す図である。具体的に、図８は、入射側偏光板３５、光変調装置３６、及び接続部材５が一体化したユニットを光入射側から見た斜視図である。図９（Ａ）は、第１面接続部材５０Ａを光軸Ａｘに直交する平面にて切断した断面を光出射側から見た断面図である。図９（Ｂ）は、第２面接続部材５０Ｂを光軸Ａｘに直交する平面にて切断した断面を光入射側から見た断面図である。図１０は、左仮想線ＶＰＬを通る鉛直面にて上記ユニットを切断した断面図である。
具体的に、第２実施形態における接続部材５は、図８ないし図１０に示すように、第１面接続部材５０Ａと、第２面接続部材５０Ｂと、２つのダクト部材５０Ｃ，５０Ｄとを備え、これら各部材５０Ａ〜５０Ｄが一体化された構成を有する。
【００５３】
第１面接続部材５０Ａは、前記第１実施形態で説明した接続部材５と略同様の構造を有するため、当該接続部材５と同様の構成については同一の符号を付して説明を省略する。
そして、第１面接続部材５０Ａにおいて、前記第１実施形態で説明した接続部材５と異なる点は、以下の通りである。
第１面接続部材５０Ａは、図９に示すように、第２連通口５２３が閉塞されている。
また、第１面接続部材５０Ａは、図９に示すように、接続部材本体５１における下側の開口部分の一部（左側導出路ＰＥ１）が閉塞されている。
そして、第１面接続部材５０Ａは、前記第１実施形態と同様に、各開口部５１１，５１２が各部材３５，３６にて閉塞されることで、内部に第１空間Ａｒ（図９（Ａ）、図１０）が形成される。
【００５４】
第２面接続部材５０Ｂは、入射側偏光板３５の光入射側に配設され、光軸Ａｘに直交する平面を基準として、第１面接続部材５０Ａに対称となる構造を有する。
なお、第２面接続部材５０Ｂにおいて、第１面接続部材５０Ａの各構成（各流路ＰＬ１〜ＰＬ４，ＰＥ１，ＰＥ２を除く）の対称位置にある各構成については同一の符号を付して説明を省略する。
そして、第２面接続部材５０Ｂは、各開口部５１１，５１２が入射側偏光板３５及び透光性部材３０（図８、図１０）にて閉塞されることで、内部に第２空間Ａｒ２（図９（Ｂ）、図１０）が形成される。
【００５５】
また、第２面接続部材５０Ｂでは、第１面接続部材５０Ａにおける各外周導入路ＰＬ１，ＰＬ４の対称位置にある各流路が導出用流路として機能する。さらに、第２面接続部材５０Ｂでは、第１面接続部材５０Ａにおける各導出路ＰＥ１，ＰＥ２の対称位置にある各流路が導入用流路として機能する。
なお、以下では、説明の便宜上、第２面接続部材５０Ｂにおいて、第１面接続部材５０Ａにおける各外周導入路ＰＬ１，ＰＬ４の対称位置にある各流路を右，左側導出路ＰＥ３，ＰＥ４として記載する。また、第２面接続部材５０Ｂにおいて、第１面接続部材５０Ａにおける左側導出路ＰＥ１、各中央導入路ＰＬ２，ＰＬ３、及び右側導出路ＰＥ２の対称位置にある各流路を、左側外周導入路ＰＬ５、下，上側中央導入路ＰＬ６，ＰＬ７、及び右側外周導入路ＰＬ８として記載する。
【００５６】
ダクト部材５０Ｃは、図8または図９に示すように、第１，第２面接続部材５０Ａ，５０Ｂ間に架設され、第１面接続部材５０Ａにおける左側導出路ＰＥ１と第２面接続部材５０Ｂにおける左側外周導入路ＰＬ５とを連通する。
ダクト部材５０Ｄは、図９または図１０に示すように、第１，第２面接続部材５０Ａ，５０Ｂ間に架設され、第１面接続部材５０Ａにおける右側導出路ＰＥ２と第２面接続部材５０Ｂにおける右側外周導入路ＰＬ８とを連通する。
【００５７】
また、第２実施形態では、冷却ファン６と接続部材５とは、流路下流側が４つに分岐されたダクト（図示略）を介して接続される。
具体的に、前記ダクトにおいて、流路下流側の４つの端部のうち、２つの端部は、前記第１実施形態と同様に、第１面接続部材５０Ａにおける右側外周導入路ＰＬ１及び下側中央導入路ＰＬ２と上側中央導入路ＰＬ３及び左側外周導入路ＰＬ４とにそれぞれ接続される。一方、他の２つの端部は、第２面接続部材５０Ｂにおける下側中央導入路ＰＬ６と上側中央導入路ＰＬ７とにそれぞれ接続される。
【００５８】
次に、第２実施形態における冷却装置４による空気の流路について説明する。
図１１は、第２実施形態における冷却装置４による空気の流路を説明するための模式図である。具体的に、図１１は、図９に対応した図である。
なお、図１１では、説明の便宜上、図７と同様に、空気の流れを矢印Ｆで示している。
また、図１１では、図７と同様に、入射側偏光板３５を中心側領域ＡｒＯと外周側領域ＡｒＥとに仮想的に分割している。
さらに、Ｒ，Ｇ，Ｂ色光側において、冷却装置４による空気の流路は、同様の流路であるため、以下では、Ｒ色光側の流路のみを説明する。
Ｒ側冷却ファン６Ｒが駆動すると、Ｒ側冷却ファン６Ｒから吐出された空気は、前記ダクトにて４つに分岐され、第１面接続部材５０Ａにおける各導入路ＰＬ１〜ＰＬ４、及び第２面接続部材５０Ｂにおける各中央導入路ＰＬ６，ＰＬ７にそれぞれ導入される。
【００５９】
なお、各導入路ＰＬ１〜ＰＬ４に導入された空気は、図９（Ａ）に示すように、前記第１実施形態と同様に流通するため、説明を省略する。
そして、各導入路ＰＬ１〜ＰＬ４から第１空間Ａｒ１に吐出され、各部材３５，３６を冷却した後の空気は、各導出路ＰＥ１，ＰＥ２及びダクト部材５０Ｃ，５０Ｄを介して、第２面接続部材５０Ｂにおける各外周導入路ＰＬ５，ＰＬ８に導入される。
ここで、各外周導入路ＰＬ５，ＰＬ８は、図１１に示すように、左，右仮想線ＶＰＬ，ＶＰＲ上にそれぞれ位置付けられている。
【００６０】
すなわち、第２面接続部材５０Ｂにおける各外周導入路ＰＬ５，ＰＬ８は、光軸Ａｘに沿う方向から見て、第１面接続部材５０Ａにおける各外周導入路ＰＬ４，ＰＬ１に対して、光軸Ａｘを通り第１仮想線ＶＰ１に直交する第２仮想線ＶＰ２（図１１（Ａ））を基準として対称となる位置に設けられている。
このため、各外周導入路ＰＬ５，ＰＬ８から第２空間Ａｒ２に吐出された空気は、光軸Ａｘに沿う方向から見て、各外周導入路ＰＬ４，ＰＬ１に対向する側から第２空間Ａｒにそれぞれ導入され、外周側領域ＡｒＥ（左，右仮想線ＶＰＬ，ＶＰＲ）に沿って流通することとなる。
なお、第２面接続部材５０Ｂにおける各外周導入路ＰＬ５，ＰＬ８から吐出される空気も、第１面接続部材５０Ａにおける各外周導入路ＰＬ１，ＰＬ４から吐出される空気と同様に、同一の流速及び同一の流量に設定されている。
すなわち、各外周導入路ＰＬ５，ＰＬ８は、本発明に係る第２吐出部に相当するものである。
【００６１】
一方、第２面接続部材５０Ｂにおける各中央導入路ＰＬ６，ＰＬ７は、光軸Ａｘに直交する平面を基準として、第１面接続部材５０Ａにおける各中央導入路ＰＬ２，ＰＬ３の対称位置に位置付けられている。
このため、各中央導入路ＰＬ６，ＰＬ７に導入され、第２空間Ａｒ２に吐出される空気は、図１１（Ｂ）に示すように、光軸Ａｘに沿う方向から見て、各中央導入路ＰＬ２，ＰＬ３から第１空間Ａｒ１に吐出される空気と同様に流通する。
すなわち、各中央導入路ＰＬ６，ＰＬ７は、本発明に係る第１吐出部に相当するものである。
また、第１，第２面接続部材５０Ａ，５０Ｂは、本発明に係る第１，第２吐出部をそれぞれ有し、入射側偏光板３５の光出射面及び光入射面に沿ってそれぞれ空気を流通させるため、本発明に係る第１，第２面吐出手段に相当する。
なお、第２面接続部材５０Ｂにおける各中央導入路ＰＬ６，ＰＬ７から吐出される空気も、第１面接続部材５０Ａにおける各中央導入路ＰＬ２，ＰＬ３から吐出される空気と同様に、同一の流速及び同一の流量に設定されている。
また、各中央導入路ＰＬ６，ＰＬ７から吐出される空気は、第１面接続部材５０Ａにおける各導入路ＰＬ１〜ＰＬ４から吐出される空気の流速の関係と同様に、各外周導入路ＰＬ５，ＰＬ８から吐出される空気に対して、流速が大きくなるように設定されている。
【００６２】
そして、入射側偏光板３５は、各導入路ＰＬ１〜ＰＬ４から第１空間Ａｒ１に吐出された空気により光出射面が冷却され、各導入路ＰＬ５〜ＰＬ８から第２空間Ａｒ２に吐出された空気により光入射面が冷却されることとなる。
入射側偏光板３５の光入射面を冷却した後の空気のうち、左側外周導入路ＰＬ５から吐出された空気、及び各中央導入路ＰＬ６，ＰＬ７から吐出され衝突した後の空気の一部は、図１１（Ｂ）に示すように、左側導出路ＰＥ４を介して接続部材５外部に排出される。
一方、右側外周導入路ＰＬ８から吐出された空気、及び各中央導入路ＰＬ６，ＰＬ７から吐出され衝突した後の空気の一部は、図１１（Ｂ）に示すように、右側導出路ＰＥ３を介して接続部材５外部に排出される。
なお、第２面接続部材５０Ｂにおける右側導出路ＰＥ３の流路断面積は、第１面接続部材５０Ａにおける左側導出路ＰＥ１及び左側外周導入路ＰＬ４の流路断面積の関係と同様に、右側外周導入路ＰＬ８の流路断面積よりも大きくなるように設定されている。左側導出路ＰＥ４の流路断面積も同様に、左側外周導入路ＰＬ５の流路断面積よりも大きくなるように設定されている。
【００６３】
上述した第２実施形態によれば、前記第１実施形態と同様の効果の他、以下の効果がある。
本実施形態では、冷却装置４は、入射側偏光板３５の光出射面に沿って空気を流通させる第１面接続部材５０Ａと、入射側偏光板３５の光入射面に沿って空気を流通させる第２面接続部材５０Ｂとを備える。
このことにより、入射側偏光板３５の光入射面及び光出射面の双方を冷却でき、入射側偏光板３５を効果的に冷却できる。
【００６４】
また、第２面接続部材５０Ｂの各外周導入路ＰＬ５，ＰＬ８は、光軸Ａｘに沿う方向から見て、第１面接続部材５０Ａの各外周導入路ＰＬ４，ＰＬ１に対して、第２仮想線ＶＰ２を基準として対称となる位置に設けられている。言い換えれば、各外周導入路ＰＬ５，ＰＬ８は、光軸Ａｘに沿う方向から見て、各外周導入路ＰＬ４，ＰＬ１に対向する位置に設けられている。
すなわち、入射側偏光板３５の光出射面では、各外周導入路ＰＬ４，ＰＬ１から離間する側は、各外周導入路ＰＬ４，ＰＬ１に近接する側に対して、冷却効率が低いものとなっている。しかしながら、入射側偏光板３５の光入射面において、光出射面での冷却効率が低い領域に対向する領域は、各外周導入路ＰＬ５，ＰＬ８に近接する側に相当するため、各外周導入路ＰＬ５，ＰＬ８から離間する側に対して、冷却効率が高いものとなっている。
このため、光軸Ａｘに沿う方向から見て、入射側偏光板３５の光出射面で冷却効率が低い領域については光入射面で冷却効率が高い領域とし、逆に、光入射面で冷却効率が低い領域については光出射面で冷却効率が高い領域とすることができ、入射側偏光板３５の全体を効率的に冷却できる。
【００６５】
さらに、冷却装置４がダクト部材５０Ｃ，５０Ｄを備えるので、第１空間Ａｒ１に導入され入射側偏光板３５の光出射面を冷却した後の空気を、ダクト部材５０Ｃ，５０Ｄを介して、第２空間Ａｒ２に導入して入射側偏光板３５の光入射面の冷却に寄与させることができる。
すなわち、入射側偏光板３５の光出射面及び光入射面を冷却する空気の一部を共通化することができ、入射側偏光板３５を効率的に冷却できる。
【００６６】
なお、本発明は前述の実施形態に限定されるものではなく、本発明の目的を達成できる範囲での変形、改良等は本発明に含まれるものである。
前記各実施形態では、冷却流体として空気を利用していたが、これに限らず、水やエチレングリコール等の液体を冷却流体として利用しても構わない。
前記各実施形態では、冷却装置４は、入射側偏光板３５及び光変調装置３６の双方を冷却するように構成されていたが、これに限らず、各部材３５，３６のいずれか一方のみを冷却するように構成しても構わない。
また、前記各実施形態では、冷却対象として入射側偏光板３５及び光変調装置３６を採用していたが、これに限らず、偏光変換素子３２３や出射側偏光板３７等の他の光学素子を冷却対象としても構わない。
【００６７】
前記各実施形態では、冷却ファン６は、Ｒ，Ｇ，Ｂ色光側の各接続部材５に対応して３つ設けられていたが、これに限らず、１つ、２つ、あるいは、４つ以上の冷却ファン６にて各接続部材５に空気を送風する構成を採用してもよい。
前記各実施形態では、本発明に係る第１，第２吐出部は、接続部材５に形成された各導入路ＰＬ１〜ＰＬ８で構成されていたが、これに限らない。
例えば、接続部材５を省略し、第１，第２吐出部として、冷却ファン６から送風された空気を中心側領域ＡｒＯ等に向けて吐出するダクトでそれぞれ構成しても構わない。
【００６８】
前記各実施形態では、各中央導入路ＰＬ２，ＰＬ３，ＰＬ６，ＰＬ７は、第１仮想線ＶＰ１上にそれぞれ設けられていたが、これに限らず、光軸Ａｘが通る位置に向けて吐出する構成であれば、いずれの位置に設けても構わない。また、第１仮想線ＶＰ１は、鉛直方向に延びていたが、鉛直方向でなくても構わない。
また、各外周導入路ＰＬ１，ＰＬ４，ＰＬ５，ＰＬ８も同様に、外周側領域ＡｒＥに沿って空気を吐出する構成であれば、前記各実施形態で説明した位置に限らず、その他の位置に設けても構わない。
さらに、各導出路ＰＥ１〜ＰＥ４も同様に、空間Ａｒ，Ａｒ１，Ａｒ２の空気を空間Ａｒ，Ａｒ１，Ａｒ２外部に導出する構成であれば、形成位置やその数は、前記各実施形態で説明した形成位置及び数に限らない。
前記各実施形態では、本発明に係る第１，第２吐出部がそれぞれ２つずつ設けられていたが、これに限らず、３つ以上設けても構わない。
【００６９】
前記各実施形態では、光変調装置３６は、３つ設けられていたが、その数は３つに限らず、１つ、２つ、あるいは、４つ以上であっても構わない。
前記各実施形態において、光変調装置としては、透過型または反射型の液晶パネルの他、マイクロミラーを用いたデバイス等、液晶以外の光変調装置を採用しても構わない。
前記各実施形態では、スクリーンを観察する方向から投射を行うフロントタイプのプロジェクターの例のみを挙げたが、本発明は、スクリーンを観察する方向とは反対側から投射を行うリアタイプのプロジェクターにも適用可能である。
【産業上の利用可能性】
【００７０】
本発明は、プレゼンテーションやホームシアターに用いられるプロジェクターに利用できる。
【符号の説明】
【００７１】
１・・・プロジェクター、４・・・冷却装置、５・・・接続部材、３５・・・入射側偏光板（光学素子）、３６・・・光変調装置（光学素子）、５０Ａ・・・第１面接続部材（第１面吐出手段）、５０Ｂ・・・第２面接続部材（第２面吐出手段）、５０Ｃ，５０Ｄ・・・ダクト部材、Ａｘ・・・光軸、Ａｒ・・・空間、Ａｒ１・・・第１空間、Ａｒ２・・・第２空間、ＡｒＯ・・・中心側領域、ＡｒＥ・・・外周側領域、ＡｒＬ，ＡｒＲ・・・左，右領域、ＰＬ１，ＰＬ４，ＰＬ５，ＰＬ８・・・外周導入路（第２吐出部、導入用流路）、ＰＬ２，ＰＬ３，ＰＬ６，ＰＬ７・・・中央導入路（第１吐出部、導入用流路）、ＶＰ１・・・第１仮想線，ＶＰ２・・・第２仮想線。
【図１】
2013097230.tif 000003
【図２】
2013097230.tif 000004
【図３】
2013097230.tif 000005
【図４】
2013097230.tif 000006
【図５】
2013097230.tif 000007
【図６】
2013097230.tif 000008
【図７】
2013097230.tif 000009
【図８】
2013097230.tif 000010
【図９】
2013097230.tif 000011
【図１０】
2013097230.tif 000012
【図１１】
2013097230.tif 000013